(57)【要約】【課題】上流フィルターと下流フィルターで構成されるフィルター部において、下流フィルターで捕集した塵埃を確実に排出することが出来るようにすることで、ゴミ捨て性を向上することが可能な集塵装置と、この集塵装置を備えた電気掃除機を提供すること。【解決手段】前方に吸入口８ｅ、後方に開口部８ｆを有した集塵ケース８と、開口部８ｅを開閉自在に覆うフィルター部１６と、フィルター部１６を閉じた状態に係止する係止部１１とからなり、フィルター部１６は、共に上方が前記集塵ケース８に回動自在に軸支された粗塵を捕集する為の上流フィルター９と上流フィルター９を通過した細塵を捕集する為の下流フィルター１０とで構成されると共に、上流フィルター９と下流フィルター１０間にバネ１５を配し、係止部１１による係止が解除された際に、バネ１５により上流フィルター９と下流フィルター１０が離間する方向に付勢されるように構成した。【選択図】図５
2010035784.tif 000002
【特許請求の範囲】
【請求項１】
前方に吸入口、後方に開口部を有した集塵ケースと、前記開口部を開閉自在に覆うフィルター部と、前記フィルター部を閉じた状態に係止する係止部とからなり、前記フィルター部は、共に上方が前記集塵ケースに回動自在に軸支された粗塵を捕集する為の上流フィルターと前記上流フィルターを通過した細塵を捕集する為の下流フィルターとで構成されると共に、前記上流フィルターと前記下流フィルター間に弾性体を配し、前記係止部による係止が解除された際に、前記弾性体により前記上流フィルターと前記下流フィルターが互いに離間する方向に付勢される事を特徴とする集塵装置。
【請求項２】
上流フィルターと上流フィルターの回動軸の軸芯を同一とし、弾性体を前記回動軸の近傍に設けたことを特徴とする請求項１に記載の集塵装置。
【請求項３】
開口部の両側に係止部を配置し、前記係止部による係止を解除する為の操作部品を備え、前記操作部品は、集塵ケースの上方中央に配置される操作部と、前記操作部から前記係止部へ延出される逆Ｕ字形状のアーム部で構成されることを特徴とする請求項１または２に記載の集塵装置。
【請求項４】
請求項１〜３のいずれか１項に記載の集塵装置を備えた電気掃除機。
【発明の詳細な説明】
【技術分野】
【０００１】
本発明は、電気掃除機に関するもので、特に、電気掃除機の集塵装置に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミをためる集塵ケースに粗塵を捕集する上流フィルターと細塵を捕集するプリーツ状に加工したフィルターを有する下流フィルター両方が回動自在に取着されて集塵ケースの蓋となる構造の集塵装置がある。前記の集塵装置において、蓋となる上流／下流フィルターの回動軸及び取り出し／持ち運び用の持ち手部は集塵ケース上方に設けられ、係止部を解除する操作部が集塵ケースの上方に配置される構成（以下  上方回動軸構成という）のものが増えつつある（例えば、特許文献１参照）。
【０００３】
そして、この上方回動軸構成においては、ゴミ捨て時、電気掃除機本体部から集塵装置を取り出し、持ち替えることなく、持ち手部近傍の操作部を操作することで、係止部を解除でき、尚且つ、集塵ケースの蓋となる上／下流のフィルターを上下で確実に固定することができるものとなっていた。
【特許文献１】特開２００４−０８２９５号公報
【発明の開示】
【発明が解決しようとする課題】
【０００４】
しかしながら、前記の従来の構成では、ゴミ捨て時に、係止部を解除した後でも、上流フィルターと下流フィルターとが密着した状態になり、その結果ごみ捨て時に下流フィルターで集塵した塵埃が上流フィルター側に落ちてしまい、充分なごみ捨てができず、一部排出できずに２つのフィルター間に残った塵埃が、次の使用時に再度下流フィルターに付着するために、目詰まりの原因になるといった課題があった。
【０００５】
本発明は、前記従来の課題を解決するもので、上流フィルターと下流フィルターで構成されるフィルター部において、下流フィルターで捕集した塵埃を確実に排出することが出来るようにすることで、ゴミ捨て性を向上することが可能な集塵装置と、この集塵装置を備えた電気掃除機を提供することを目的とする。
【課題を解決するための手段】
【０００６】
前記従来の課題を解決するために、本発明の集塵装置は、前方に吸入口、後方に開口部を有した集塵ケースと、前記開口部を開閉自在に覆うフィルター部と、前記フィルター部を閉じた状態に係止する係止部とからなり、前記フィルター部は、共に上方が前記集塵ケースに回動自在に軸支された粗塵を捕集する為の上流フィルターと前記上流フィルターを通過した細塵を捕集する為の下流フィルターとで構成されると共に、前記上流フィルターと前記下流フィルター間に弾性体を配し、前記係止部による係止が解除された際に、前記弾性体により前記上流フィルターと前記下流フィルターが互いに離間する方向に付勢される事を特徴とすることで、ごみ捨て時に開口部を開口した際に、前記上流フィルターと前記下流フィルターを確実に分離して、隙間を設けるようにすることにより、ごみ捨て時に下流フィルターに付着した塵埃を上流フィルター側へ落とすことなく確実に集塵装置外部に捨てることができる。
【発明の効果】
【０００７】
本発明の集塵装置によると、蓋となるフィルター部を構成する上流フィルターと下流フィルターとを確実に分離できるので、下流フィルターで集塵した塵埃を確実に排出でき、ごみ捨て性を向上することができる。
【発明を実施するための最良の形態】
【０００８】
第１の発明は、前方に吸入口、後方に開口部を有した集塵ケースと、前記開口部を開閉自在に覆うフィルター部と、前記フィルター部を閉じた状態に係止する係止部とからなり、前記フィルター部は、共に上方が前記集塵ケースに回動自在に軸支された粗塵を捕集する為の上流フィルターと前記上流フィルターを通過した細塵を捕集する為の下流フィルターとで構成されると共に、前記上流フィルターと前記下流フィルター間に弾性体を配し、前記係止部による係止が解除された際に、前記弾性体により前記上流フィルターと前記下流フィルターが互いに離間する方向に付勢される事を特徴とすることで、前記上流フィルターと前記下流フィルターとを一定の角度に保つことによって、隙間が出来るので、ごみ捨て時に下流フィルターに付着した塵埃を上流フィルター側へ落とすことなく確実に集塵装置外部に捨てることができる。
【０００９】
第２の発明は、特に第１の発明において、上流フィルターと上流フィルターの回動軸の軸芯を同一とし、弾性体を前記回動軸の近傍に設けたことを特徴とすることで、前記弾性体を回動軸より離れた位置に設けた場合に比べて、前記上流フィルターと前記下流フィルターとの角度を大きくとることができ、隙間を広げることができる。
【００１０】
第３の発明は、特に第１または２の発明において、開口部の両側に係止部を配置し、前記係止部による係止を解除する為の操作部品を備え、前記操作部品は、集塵ケースの上方中央に配置される操作部と、前記操作部から前記係止部へ延出される逆Ｕ字形状のアーム部で構成されることを特徴とすることで、吸引風流路を確保したまま係止部を設けることができ、側面部下方左右２箇所で確実に保持することができ、係止部の小型化省スペース化をはかることができる。
【００１１】
第４の発明は、第１〜３のいずれか１つの発明の集塵装置を備えた電気掃除機とすることで、使い勝手のよい電気掃除機を提供することができる。
【００１２】
以下、本発明の実施の形態について、図面を参照しながら説明する。なお、この実施の形態によってこの発明が限定されるものではない。
【００１３】
（実施の形態１）
本発明の第１の実施の形態における電気掃除機について、図１〜８を用いて説明する。
【００１４】
図１は、本実施の形態における電気掃除機の全体斜視図、図２は、係止部ロックの状態における集塵装置の斜視図（ａ）、係止部解除の状態を示す集塵装置の斜視図（ｂ）、図３は、集塵装置のフィルター部を外した状態斜視図（ａ）、集塵装置の操作部品部断面図（ｂ）、同集塵装置の係止部断面図（ｃ）、図４は、係止部が係止の状態の時の集塵装置の中央断面図、図５は、係止部解除の状態における集塵装置の側面断面図（ａ）、集塵装置の上流フィルター上部斜視図（ｂ）、図６は、集塵装置の操作部品斜視図（ａ）、集塵装置の上流フィルター斜視図（ｂ）、係止部ロックの状態の時の集塵装置の上流フィルターのヒンジ部断面図（下流フィルターは図示せず）（ｃ）、係止部解除の状態の時の集塵装置の上流フィルターヒンジ部断面図（下流フィルターは図示せず）（ｄ）、図７は、係止部ロックの状態における集塵装置の上流フィルター固定部断面図（下流フィルターは図示せず）（ａ）、同集塵装置の仮固定部断面の要部断面図（ｂ）、図８は、同集塵装置のごみ捨て時の状態を示す斜視図（ａ）、集塵装置の下流フィルターお手入れ時の状態を示す斜視図（ｂ）をそれぞれ示している。
【００１５】
図１において、本実施の形態における電気掃除機は、掃除機本体１と、掃除機本体１の前方に設けたホース接続部１’に接続されるホース２と、ホース２の先端に設けられた接続パイプ３と、接続パイプ３に接続される延長管４と、延長管４の先端に設けられ塵埃を吸引する吸引口（図示せず）を有する吸込具５からなり、掃除機本体１には、塵埃を吸引するための電動送風機６、塵埃を集塵する集塵装置７が内蔵されている。
【００１６】
図２に示す集塵装置７は、構成部品を大きく分けると、前方にホース接続部１’に連通する吸引口８ｅ、後方に開口部８ｆを有し、外郭を構成する集塵ケース８と、集塵ケース８の開口部８ｆを塞ぐように設けられたフィルター部１６からなり、フィルター部１６は、上流フィルター９とその後方を塞ぐように設けられた下流フィルター１０から構成される。上流フィルター９及び下流フィルター１０は集塵ケース８上方に設けられた２箇所のヒンジ固定部８ａに開閉（回動）可能に取り付けられている。
【００１７】
また、図３に示すとおり、下流フィルター１０を集塵ケース８に保持する係止部１１は集塵ケース８の両側の側面部下方に配置され、下流フィルター１０の下方両側に設けた被係止部１０ａと嵌合することによって集塵ケース８に保持される。係止部１１の解除操作を行う逆Ｕ字型形状の操作部品１２は吸引風の流路となる集塵部８ｂ及び上流フィルター９と下流フィルター１０の外側に構成され、操作部品１２のアーム部１２ａ及び係止部１１は集塵ケース８の両サイドに設けられ二重壁８ｃにより隔離された構成とする。集塵ケース８上方中央部には取り出し／持ち運び用のもち手８ｄを設け、近傍に、係止部１１の解除操作を行う操作部１２ｂを配置する構成となっている。操作部品１２の操作部１２ｂ以外の外観になる箇所は、集塵ケース８の外観形状に対して、係止部１１のかかり代と同等以上の段差を設け凹とする構成となっている。
【００１８】
図４に示すように上流フィルター９は、枠体９ａとその枠体９ａと一体的に成形されたネットフィルター９ｂとから構成され、粗い塵埃を捕集する為に用いられる。枠体９ａは、集塵ケース８と下流フィルター１０側の両方に全周にシール手段であるシールパッキン９ｃが設けられ、上流フィルター９及び下流フィルター１０を閉じたとき、集塵ケース８及び下流フィルター１０のそれぞれと密封することができる。集塵ケース８及び下流フィルター１０のそれぞれと全周シールする箇所は集塵ケース８内に設けられており、側面部は集塵ケース二重壁８ｃの内側に配置されている。そして、前記の通り、集塵ケース８の両側の側面部下方に配置され係止部１１と下流フィルター１０の下方両側に設けた被係止部１０ａを嵌合させることによって、集塵装置７を密閉する構成となっている。
【００１９】
下流フィルター１０は、上流フィルター９を通過した細かい塵埃を捕集する細塵用フィルターであり、プリーツ加工（断面形状を波状に加工すること。）しており、プリーツ加工された波状の山と谷の折り目の方向はフィルター全体で上下方向に揃えてある。下流フィルター１０の後側にはジョジンレバー１３がホルダー１４と下流フィルター１０とで挟むことで保持されており、手動もしくは外部の動力源によりジョジンレバー１３は左右に動くことができ、下流フィルター１０のレール部１０ｂをはじくことで、下流フィルター１０に付着した細塵を落とす構成となっている。また下流フィルター１０の後側には、シール手段であるシールパッキン１０ｃが設けられ、集塵装置７が掃除機本体１に収納されたとき、電気掃除機内で集塵装置７を密閉する構成となっている。
【００２０】
また、集塵ケース８の蓋部となるフィルター部１６は、上流フィルター９及び下流フィルター１０で構成され、上流フィルター９と下流フィルター１０を開方向に付勢する付勢手段が設けられている。図４及び５に示すとおり、下流フィルター１０を開方向に付勢する付勢手段である弾性体として、バネ１５が上流フィルター９上部のバネ収納部９ｄに配置され、また下流フィルター１０側にはバネ１５を押さえる突起部１０ｄがバネ１５に対向して配置されている。前記のバネ収納部９ｃは下流フィルター１０方向側に縦方向のスリット９ｄが設けられており、蓋が閉状態では、そのスリット９ｅの内側に前記の突起部１０ｄが挿入され、常にバネ１５を押さえる構造となっている。図６に示すとおり、上流フィルター９を開方向に付勢する付勢手段として、操作部品１２の下部に傾斜面を設けた２箇所の突起形状１２ｃが上流フィルター９の集塵ケース８の上部に取着しているヒンジ部９ｆの上方に配置する構成とされている。前記のヒンジ部９ｆは前記の突起形状１２ｃの傾斜面と平行の傾斜面が設けられている。蓋部が密閉状況（操作部を押さない状態）では、これらの突起形状１２ｃの傾斜面と前記のヒンジ部９ｆ傾斜面の間は距離を設けており、前記の操作部品１２が下方に押されて、係止部１１が解除されるタイミングより後に、傾斜面同志が接触し、ヒンジ部９ｆを押さえる設定とされている。さらに、本発明の集塵装置７には、下流フィルター１０開放時、上流フィルター９のみを集塵ケース８側に固定できる手段として、図６に示すとおり、操作部品１２及び上流フィルター９に爪嵌合の係止部１２ｄ及び被係止部９ｇが両側２箇所に設けられている。図７に示すとおり、前記の係止部１２ｄ及び被係止部９ｇ嵌合面は、傾斜面で形成されており、本実施の形態の集塵装置７の下流フィルター１０のロック（前記係止部１１及び被係止部１０ａ）が解除されるタイミングより前に解除される設定とされている。
【００２１】
以上のように構成された本実施の形態における電気掃除機の動作、作用について以下に説明する。
【００２２】
図２（ｂ）に示すように本発明の集塵装置７はごみ捨て時に下側が開放する構造となっているが、そのごみ捨て時の動作を具体的に説明する。掃除機本体１に収納された集塵装置７はごみ捨て時に本体収納部（図示せず）から集塵ケース持ち手部８ｄを持って取り出される。取り出された集塵装置７は持ち手部８ｄ近傍の操作部１２ｂを押す事で、操作部品１２の両サイドのアーム部１２ａを介して、両側の係止部１１を下方に摺動させる。そして係止部１１が下方に摺動し、下流フィルター１０の下方に配した被係止部１０ａとの嵌合が解除され、下流フィルター１０が集塵ケース８上方に設けられた回動軸を中心に約１１０°開く。それに付随して上流フィルター９も開き、集塵ケース８の集塵部８ｂに蓄積されたゴミを捨てられるよう開放される。これにより、ごみ捨ての操作が片手で簡単に下向き開放にて行うことができ、蓋部閉状態での保持も上部の回動軸部と側面下方２箇所でロックされ、蓋部の閉状態における保持も確実に行う事ができる。
【００２３】
また、開放方向を下向きにする事で、下流フィルター１０の下部にたまるジョジンレバー１３によりプリーツフィルターから除塵された細塵の処理がしやすくなる上に、お手入れ時のほこりの舞い上がりを抑えることができる。次に、ごみ捨て時の上流フィルター９及び下流フィルター１０を開方向に付勢する付勢手段及び上流フィルター９の固定部の動作詳細についても説明する。取り出された集塵装置７の操作部品トータルのストロークは５ｍｍであり、約１ｍｍ押すことで、まず前記の上流フィルター９のみの固定部である係止部１２ｄ及び被係止部９ｇが解除される。さらに１〜１．５ｍｍ抑えることで、下流フィルター１０のロックである係止部１１と被係止部１０ａのロックが解除される。解除と同時に下流フィルター１０を開方向に付勢する付勢手段であるバネ１５により、下流フィルター１０が開方向に押し出される。また、このバネ１５は上流フィルター９と下流フィルター１０の間にあり、ごみ捨てを行う時、両フィルターが回動する間も、両フィルター間に常にすき間を設ける役割を果たし、下流フィルター１０に付着した細塵及びプリーツフィルターから除塵された細塵が落ちやすくなる。
【００２４】
さらに操作部品１２を下方に押し下げると、図６に示すとおり、操作部品１２の下部に傾斜面を設けた２箇所の突起形状１２ｃが上流フィルター９の集塵ケース８の上部に取着しているヒンジ部９ｆを押さえ、上流フィルター９を開方向に押し出す動作となっている。ごみ捨て時は図８（ａ）のような形態となり、上流フィルター９に配する粗い塵埃を捕集するネットフィルター９ｂのお手入れはこの状態で行う。
【００２５】
また、下流フィルター１０の細かい塵埃を捕集するプリーツフィルター部のお手入れをする際に、上流フィルター９が下流フィルター１０の上に配したままでは、お手入れがしにくい（できない）ため、図８（ｂ）のとおり、上流フィルター９のみを集塵ケース８側に回動させ、前記の係止部１２ｄ及び被係止部９ｇにて上流フィルター９を集塵ケース８側に固定させる。上流フィルター９は集塵ケース８側に爪勘合にて保持されることで、下流フィルター１０のお手入れがしやすくなる。
【産業上の利用可能性】
【００２６】
以上のように、本発明に係る集塵装置は、上流フィルターと下流フィルターとを一定の角度に保つことによって、ごみ捨て時に下流フィルターに付着した塵埃を上流フィルター側へ落とすことなく確実に集塵装置外部に捨てることができる集塵装置とすることによって、より清潔性に優れ、なおかつ使い勝手のよい集塵装置、及びその集塵装置を用いた電気掃除機を提供することができる。
【図面の簡単な説明】
【００２７】
【図１】本発明の形態１における電気掃除機の全体斜視図
【図２】（ａ）本発明の形態１における集塵装置の斜視図（係止部ロックの状態）（ｂ）同集塵装置の斜視図（係止部解除の状態）
【図３】（ａ）同集塵装置のフィルター部を外した状態斜視図（ｂ）同集塵装置の操作部品部断面図（ｃ）同集塵装置の係止部断面図
【図４】同集塵装置の中央断面図（係止部ロックの状態）
【図５】（ａ）同集塵装置の側面断面図（係止部解除の状態）（ｂ）同集塵装置の上流フィルター上部斜視図
【図６】（ａ）同集塵装置の操作部品斜視図（ｂ）同集塵装置の上流フィルター斜視図（ｃ）同集塵装置の上流フィルターのヒンジ部断面図（係止部ロックの状態、下流フィルターは図示せず）（ｄ）同集塵装置の上流フィルターヒンジ部断面図（係止部解除の状態、下流フィルターは図示せず）
【図７】（ａ）同集塵装置の上流フィルター固定部断面図（係止部ロックの状態、下流フィルターは図示せず）（ｂ）は同集塵装置の仮固定部断面の要部断面図
【図８】（ａ）同集塵装置のごみ捨て時の状態を示す斜視図（ｂ）同集塵装置の下流フィルターお手入れ時の状態を示す斜視図
【符号の説明】
【００２８】
１      掃除機本体
７      集塵装置
８      集塵ケース
９      上流フィルター
１０    下流フィルター
１１    係止部
１２    操作部品
１２ａ  アーム部
１２ｂ  操作部
１５    バネ（弾性体）
１６    フィルター部
【図１】
2010035784.tif 000003
【図２】
2010035784.tif 000004
【図３】
2010035784.tif 000005
【図４】
2010035784.tif 000006
【図５】
2010035784.tif 000007
【図６】
2010035784.tif 000008
【図７】
2010035784.tif 000009
【図８】
2010035784.tif 000010